(57)【要約】【課題】交通障害、送電線等の埋設物の損傷を回避し、工期の短縮と工事費の低減を図ることができる。また、少ない水使用量で固定用砂を流動化して吸引するので作業環境は良好であり、地盤、他の埋設物への影響も無く、開口部内での作業性に優れている。【解決手段】所望の間隔をおいて地表からトラフに至る２以上の開口部を形成し、トラフの長手方向端面側を露出させて電力ケーブルの両端を切断する。トラフ内では、ケーブル固定用砂を電力ケーブルに沿って軟化して流動状砂にするための水を噴射する噴射ノズル１１と、噴射ノズル１１の側方に配置し、流動状砂を逐次速やかに吸引して電力ケーブルを露出させる吸引ノズル１４を用いる。【選択図】  図２
2007274839.tif 000002
【特許請求の範囲】
【請求項１】
所望の間隔をおいて地表からトラフに至る２以上の開口部を形成し、該開口部内に前記トラフの長手方向端面側を露出させ、ケーブルの両端を切断その他の手段により自由端に処理する工程と、前記トラフ内に充填されているケーブル固定用砂に露出した端面側から噴射ノズルによって水を吹き付け、前記ケーブルに沿って該固定用砂を流動状砂に軟化させる工程と、前記噴射ノズルの側方に一体に配置した吸引ノズルにより前記流動状砂を吸引して前記ケーブルを長手方向に沿って順次露出させる工程と、露出した前記ケーブルを牽引して引抜く工程とからなる埋設ケーブルの引抜撤去工法。
【請求項２】
前記噴射ノズルと吸引ノズルは、横方向に並べて配置してあることを特徴とする請求項１記載の埋設ケーブルの引抜撤去工法。
【請求項３】
送水ホースを介して送水手段に接続され、トラフ内に充填されているケーブル固定用砂に水を噴射することにより流動状砂に軟化させる噴射ノズルと、該噴射ノズルを伸長させる送水連結管と、吸引ホースを介して泥水吸引手段に接続され、前記噴射ノズルの側方に一体に配置されて前記流動状砂を吸引することにより、ケーブルを長手方向に沿って順次露出させる吸引ノズルと、該吸引ノズルを伸長させる吸引連結管と、露出した前記ケーブルを引抜くケーブル牽引手段とから構成してなる埋設ケーブルの引抜撤去装置。
【請求項４】
前記噴射ノズルと吸引ノズルは、横方向に並べて配置してあることを特徴とする請求項３記載の埋設ケーブルの引抜撤去装置。
【発明の詳細な説明】
【技術分野】
【０００１】
本発明は、地中に埋設したトラフを用いて敷設した電力ケーブルや通信ケーブル等を撤去するための埋設ケーブルの引抜撤去工法及びそのための装置に関する。
【背景技術】
【０００２】
例えば、電力ケーブルを地中に敷設する従来の方法に、地中に埋設したトラフの中に配線する方法がある。図８に電力ケーブル１、１を埋設した状態で敷設する従来の構造を示す。２は電力ケーブル１、１を土圧、路面からの振動、地震といった外力から保護するコンクリート製防護用トラフで、該トラフ２は凹型のトラフ本体２Ａと、該トラフ本体２Ａの上を覆う蓋体２Ｂとから構成してあり、地表から略１４６０ｍｍの深さに敷詰めた敷石３の上に設置してある。そして、トラフ２内に各電力ケーブル１を包むようにケーブル固定用砂４が充填してある。トラフ２の上側には砂層５、敷石層６が形成してあり、最上側は舗装層７になっている。
【０００３】
上述の如くして敷設した電力ケーブル１は年数の経過に伴って種々の理由、例えば老朽化、容量不足、外力による損傷等から新しい電力ケーブルに交換する必要や、送電不要の状況から地下から撤去する必要が生じる。このような場合、埋設した電力ケーブル１の撤去方法として、掘削機や人力によって地上から掘下げて行う開削工法が行われている。
【０００４】
また、電力ケーブルが埋設してあるトラフの一定長の両端箇所に立抗を掘削し、電力ケーブルの両端を切断し、トラフ内の充填砂に高圧水を噴射させて崩し、排気水とともにトラフから立抗に流し、立抗内の水に混ざった充填砂を吸引して地上に排出する技術が提案されている（特許文献１）。
【特許文献１】特開２００６−７４９３９号公報
【発明の開示】
【発明が解決しようとする課題】
【０００５】
しかし、従来の開削工法は、トラフの全長に沿って路面から開削するため工事期間中道路を長く占拠して交通障害になるし、沿道の通行にも影響するという欠点、近傍に埋設されている水道管その他の埋設物に損傷を与える可能性が高いという欠点、開削現場の際にある建造物や工作物に与える影響にも配慮しなければならないという欠点等があり、工期が長期間になるという欠点、また安全対策費用及び施工費用が嵩むという欠点がある。また、充填砂に高圧水を噴射させて崩し、排気水とともにトラフから立抗に流し、立抗内の水に混ざった充填砂を吸引して地上に排出する技術は、多量の水を使用する、立坑が水に浸かるために作業環境が悪い、地盤の崩落や近辺の埋設物が水に浸かる危険があるという欠点がある。
【０００６】
本発明は上述した従来技術の諸欠点に鑑みなされたもので、交通障害を可及的に少なくできる、送電線等の埋設物を損傷する事態を回避できる、工期を短縮できるので交通等への影響も最小限にできるし工事費を低減することができる、水の使用量が少なく流動状砂は速やかに吸引するので作業環境は良好であるし、地盤、他の埋設物への影響も無い、開口部内での水処理も不要なので作業性に優れている埋設ケーブルの引抜撤去工法及びそのための装置を提供することを目的とする。
【課題を解決するための手段】
【０００７】
上述した課題を解決するために構成された請求項１に係る本発明の手段は、所望の間隔をおいて地表からトラフに至る２以上の開口部を形成し、該開口部内に前記トラフの長手方向端面側を露出させ、ケーブルの両端を切断その他の手段により自由端に処理する工程と、前記トラフ内に充填されているケーブル固定用砂に露出した端面側から噴射ノズルによって水を吹き付け、前記ケーブルに沿って該固定用砂を流動状砂に軟化させる工程と、前記噴射ノズルの側方に一体に配置した吸引ノズルにより前記流動状砂を吸引して前記ケーブルを長手方向に沿って順次露出させる工程と、露出した該ケーブルを牽引して引抜く工程とからなる。
【０００８】
そして、前記噴射ノズルと吸引ノズルは、横方向に並べて配置した構成にするとよい。
【０００９】
また、請求項３に係る本発明を構成する手段は、送水ホースを介して送水手段に接続され、トラフ内に充填されているケーブル固定用砂に水を噴射することにより流動状砂に軟化させる噴射ノズルと、該噴射ノズルを伸長させる連結送水管と、吸引ホースを介して流体吸引手段に接続され、該噴射ノズルの側方に一体に配置されて前記流動状砂を吸引することにより、ケーブルを長手方向に沿って順次露出させる吸引ノズルと、該吸引ノズルを伸長させる連結吸引管と、露出した前記ケーブルを引抜くケーブル牽引手段とからなる。
【００１０】
そして、前記噴射ノズルと吸引ノズルは、横方向に並べて配置した構成にするとよい。
【発明の効果】
【００１１】
本発明は上述の如く構成したから、下記の諸効果を奏する。
（１）路面を部分的に掘削するので交通や他の埋設物への影響を可及的に少なくできる。
（２）上記１と同じ理由により、工期を短縮できるので交通への影響も少ないし、工費も低減することができる。
（３）水の使用量が少ないし流動状砂は速やかに吸引除去するので、開口部内に水が溜ることがなく作業環境が良好であるし、地盤の崩落や他の埋設物が水浸するといった事態を解決できる。
（４）開口部内での排水処理が不要であるから、作業性に優れている。
【発明を実施するための最良の形態】
【００１２】
以下、本発明の実施の形態を図面に基づき詳述する。図１乃至図４において、１１、１１はケーブル固定用砂４（以下、固定用砂４と称する。）に水を噴射する一対の噴射ノズルを示す。該各噴射ノズル１１は鋼管製の細管からなり、先端１１Ａにノズル孔を有し、後端１１Ｂに長尺の送水ホース１２が接続してある。また、噴射ノズル１１は送水ホース１２との間に図示しない連結送水管を接続することにより、噴射ノズル１１は伸長可能になっている。そして、送水ホース１２は地上に配車した加圧水供給車１３に接続してあり、噴射ノズル１１から約１８〜２０Ｍｐａの水圧で水を噴射するようにしてある。
【００１３】
１４は一対の噴射ノズル１１、１１の間に配置した吸引ノズルを示す。該吸引ノズル１４は先端側が２本のノズル管１４Ａ、１４Ａに分岐したＹ字状に形成してあり、後端側１４Ｂに長尺の吸引ホース１５が接続してある。また、吸引ノズル１４は吸引ホース１５との間に図示しない連結吸引管を接続することにより、吸引ノズル１４は伸長可能になっている。そして、吸引ホース１５は地上に配車した流体吸引車１６に接続してあり、吸引ノズル１４は砂に水が混合した流動状砂を吸引するようにしてある。
【００１４】
ここで、前記各ノズル管１４Ａは、先端の開口端１４Ａ１を斜め上向きに傾斜させることにより、流動状砂を確実に吸込むことができるようにしてある。また、縦断面の開口形状を横長楕円形に形成してあるのは、横長に形成されているトラフ２と電力ケーブル１、１の間の形状に対応することにより、固定用砂４を効率よく吸引できるようにするためである。
【００１５】
そして、上述した吸引ノズル１４は、連結板１７、１７を介して一対の噴射ノズル１１、１１を横方向両側に配置して一体に組み付けてあり、トラフ２内を一体に前進するようにしてある。かつ、各噴射ノズル１１に対して吸引ノズル１４は前方に突出した状態に組み合わせてあり、流動状砂を素早く吸引することにより周辺に流出しないようにしてある。そして、油圧モータと巻取りドラムで構成したケーブル牽引手段（但し、図示せず。）を地上に設置し、電力ケーブル１を牽引して巻き取るようにしてある。
【００１６】
本実施の形態に係る埋設ケーブルの引抜撤去装置は上述の構成からなるが、次にその施工法について説明する。先ず、適宜の間隔、例えば５０ｍの間隔で地盤を掘削し、地表からトラフ２の位置にかけて作業に必要な開口部Ａ、Ａ（但し、一方のみ図示）を形成する。そして、各開口部Ａに露出したトラフ２を適宜の位置で切断或いは分離し、端面２Ｃに各電力ケーブル１と固定用砂４を露出させ、両開口部Ａで電力ケーブル１を切断して自由端に処理する。
【００１７】
次に、電力ケーブル１、１の周囲に充填されている固定用砂４に向けて噴射ノズル１１、１１から通常で約２８Ｍｐａの圧力で水を噴射し、締まった状態にある固定用砂４を軟化させて崩し、流動状砂にする。そして、流動状砂は吸引ノズル１４によって速やかに吸引して除去する。このように、噴射水は流動状砂に邪魔されずに固定用砂４に向けて噴射することができるので、固定用砂４を流動化する効率に優れている。また、噴射する水量は最小限で足りるし、速やかに吸引するので開口部Ａ内に水が溜ることがなく、作業環境を快適に維持することができる。
【００１８】
このようにして、トラフ２内の固定用砂４のうち電力ケーブル１、１の周囲の固定用砂４を噴射ノズル１１からの噴射水で流動化し、吸引ノズル１４で吸引して順次除去して前進する。噴射ノズル１１及び吸引ノズル１４を更に前進させる場合は、連結送水管と連結吸引管を接続して伸長することにより、電力ケーブル１を長手方向に沿って露出させることができる。そして、電力ケーブル１が引抜き可能な長さに露出したら、ケーブル牽引手段により地上方向に引抜いて撤去する。
【００１９】
本実施の形態において、噴射ノズル１１と吸引ノズル１４は断面略８０×５５ｍｍのスペースがあれば前進可能な大きさに構成してあるから、水の使用量は少ないし、開口部Ａ内に溜水して作業性が阻害されることもない。また、固定用砂４を除去する時間も短いので、電力ケーブル１を順次露出して前進する作業も効率的に行うことができる。
【００２０】
このように、地盤に所定の間隔で複数の開口部Ａ、Ａ、・・・を掘削形成し、開口部Ａから電力ケーブル１を地上に引抜いて撤去するようにしたから、交通障害と近傍への影響を最小限にすることができるし、掘削面積も従来の方法と比較して大幅に削減できるから作業期間の短縮と費用の節減を図ることができる。また、埋設してあるトラフ２に対して開口部Ａを点として掘削し、線として掘削しないから、水道管等の他の埋設物を回避する作業上の面倒がないし、損傷する事故を確実に防止することができる。
【００２１】
また、本実施の形態において、噴射する水は固定用砂４を崩して流動化することを作用としており、そのために高圧水は必要としないから、噴射する水の圧力は約５ｋｇ／ｃｍ２としている。この値はトラフ２の目地を傷めることなく、固定用砂４を効率的に崩すことができる圧力であり、加圧水供給車１３も高出力のものは必要としない点で経済的である。
【００２２】
次に、図５乃至図７に第２の実施の形態を示す。なお、本実施の形態において上述した第１の実施の形態の構成要素と同一の構成要素には同一の符号を付して援用し、その説明を省略する。２１は水を噴射するための噴射ノズルを示し、該噴射ノズル２１は鋼管製の細管からなり、後端側に送水ホース１２及び／又は送水連結管が接続されるようになっている。
【００２３】
２２は１本のストレート管からなる吸引ノズルを示す。該吸引ノズル２２は先端２２Ａを上向き傾斜端２２Ａ１に形成し、後端２２Ｂには吸引ホース１５が接続するようになっている。そして、吸引ノズル２２の側方に連結板２３を介して１本の噴射ノズル２１を配設して一体に組付けてあり、噴射ノズル２１に対して吸引ノズル２２を前方に突出させて構成してある点は第１の実施の形態と同様である。
【００２４】
本実施の形態に係る埋設ケーブルの引抜撤去装置は上述の構成からなり、該装置を用いて電力ケーブル１、１を引抜く施工法は第１の実施の形態と実質的に異なるところはない。しかし、ストレート管からなる噴射ノズル２１と１本の吸引ノズル２２で細身に構成してあるので、小型のトラフ２やトラフ２内の狭隘な場所での固定用砂４の除去に有効である。
【図面の簡単な説明】
【００２５】
【図１】図１乃至図４は本発明の第１の実施の形態に係り、図１は埋設ケーブルの引抜撤去装置の全体構成図である。
【図２】噴射ノズルと吸引ノズルの平面図である。
【図３】噴射ノズルと吸引ノズルの側面図である。
【図４】噴射ノズルと吸引ノズルの正面図である。
【図５】図５乃至図７は第２の実施の形態に係り、図５は噴射ノズルと吸引ノズルの平面図である。
【図６】噴射ノズルと吸引ノズルの側面図である。
【図７】噴射ノズルと吸引ノズルの正面図である。
【図８】埋設ケーブルの敷設構造を示す断面図である。
【符号の説明】
【００２６】
１        電力ケーブル
２        トラフ
４        ケーブル固定用砂
１１、２１  噴射ノズル
１２      送水ホース
１３      加圧水供給車
１４、２２  吸引ノズル
１５      吸引ホース
１６      流体吸引車
Ａ        開口部
【図１】
2007274839.tif 000003
【図２】
2007274839.tif 000004
【図３】
2007274839.tif 000005
【図４】
2007274839.tif 000006
【図５】
2007274839.tif 000007
【図６】
2007274839.tif 000008
【図７】
2007274839.tif 000009
【図８】
2007274839.tif 000010